(57)【特許請求の範囲】
【請求項１】
瓦本体（１）の尻部（２）に表面側に隆起した尻部隆起部（１１）を設け、且つ上記瓦本体（１）の中央部分を雨水流下部となる平坦な平板部（４）とし、さらに上記瓦本体（１）の尻部（２）付近を屋根板（６）上に固定した瓦桟（７）上に載せ掛けるとともに上記瓦本体（１）の頭部（３）を下段側瓦の尻部隆起部（１１）上に載せた状態で上記屋根板（６）上に葺設するようにした平板瓦であって、
上記尻部隆起部（１１）の裏面中央部に、上記尻部（２）付近を上記瓦桟（７）上に載せ掛けた瓦葺設状態で上記瓦本体（１）の尻部端面（２ａ）から上記瓦桟（７）の上面における軒先側端縁（７ａ）を軒先側に所定小長さ（Ｌａ）だけ越える長さ（Ｌ）を有し且つ瓦幅方向の所定幅（Ｗ）の範囲で表面側に凹ませた凹み部（２１）を設けている一方、
上記瓦本体（１）の上記頭部（３）付近の裏面に、上記瓦本体（１）の裏面から下向きに突出し且つ瓦葺設状態で上記屋根板（６）の軒先端部（６ａ）上に設けた軒先瓦桟（８）の上面に接触する下向き突起（３１）と、上記頭部（３）付近の裏面を所定深さだけ凹ませた凹み部（３２）とで、上記頭部（３）裏面と上記軒先瓦桟（８）上面との間に該軒先瓦桟（８）上面を迂回する空気通路（３３）を形成している、
ことを特徴とする平板瓦。
【請求項２】
請求項１において、
上記尻部隆起部（１１）側の上記凹み部（２１）に、上記瓦葺設状態において該凹み部（２１）の天井面（２１ｂ）から上記瓦桟（７）の上面に接触するまでの突出高さ（Ｈ）を有した細幅リブ（２５）を瓦長さ方向に向けて適数本設けている、
ことを特徴とする平板瓦。
【発明の詳細な説明】
【技術分野】
【０００１】
本願発明は、瓦本体の中央部分（雨水流下部）を平坦な平板部とし、且つ瓦の尻部を屋根板上の瓦桟上に載せ掛けて屋根板上に葺設するようにした平板瓦に関するものである。
【背景技術】
【０００２】
屋根板上に葺設される平板瓦として、図１〜図３に示すものが市販されているが、この公知の平板瓦Ｔ１は、平面視四角形の瓦本体１で構成されている。尚、この種の平板瓦Ｔ１としては、セラミックス製のものやセメント製のものがあるが、本願では何れの材料製のものにも適用できる。
【０００３】
図１〜図３に示す公知の平板瓦Ｔ１において、図面の上部側が尻部２であり、図面の下部側が頭部３である。この平板瓦Ｔ１の瓦本体１の表面（おもてめん）には、図１に示すように、尻部２に尻部隆起部１１と左右各側部にそれぞれ側部隆起部１２，１３を設けている一方、それらの各隆起部１１，１２，１３で囲われた部分を平坦な雨水流下部１４としている。この雨水流下部１４は、ほぼ全面に亘ってほぼ同じ板厚さ（例えば１５mm程度の板厚さ）の平板部４となっている。尚、以下の説明では、図１及び図２の平板瓦Ｔ１において、左右方向を瓦幅方向といい、上下方向（尻部２と頭部３を結ぶ方向）を瓦長さ方向ということがある。
【０００４】
瓦本体１の裏面は、図２及び図３に示すように、上記雨水流下部１４が対応する面積部分を平坦な（段差のない）平面部１５としている一方、上記尻部隆起部１１が対応する部分を上面側に凹んだ凹み部２１Ａとしている。
【０００５】
上記凹み部２１Ａは、尻部隆起部１１の厚さを削ぐ（薄くする）ために設けられたもので、該凹み部２１Ａの大きさは、図２に示すように、瓦幅方向にかなりの幅Ｗ１（Ｗ１＝２００mm程度）を有している一方、瓦長さ方向に比較的小長さＬ１（Ｌ１＝３０mm程度）とされている。又、この凹み部２１Ａの幅方向両端部外側には、瓦裏面の上記平面部１５と同一面となる瓦桟接触面１６，１６が設けられている。
【０００６】
瓦本体１の尻部２側の端部には、瓦幅方向に間隔をもって下向きに（裏面側に）突出する２つの係止突部２０，２０が設けられている。この各係止突部２０，２０は、厚さ（瓦長さ方向の寸法）が１０mm程度で、後述する瓦桟７に引っ掛けてこの平板瓦Ｔ１を係止するためのものである。
【０００７】
図１〜図３に示す公知の平板瓦Ｔ１は、図４に示すように屋根板６上に千鳥状に葺設されるものである。そして、その葺設時には、図５に示すように屋根板６上に固定した瓦桟７上に尻部２の係止突部２０，２０を引っ掛けて該瓦桟７上に瓦の尻部２を載せ掛けるが、該瓦桟７の屋根傾斜方向の幅Ｄ（図１〜図５参照）は３０mm程度である。
【０００８】
ところで、屋根板上に平板瓦を葺設した屋根構造（例えば図４及び図５）では、屋根板６の上面と各平板瓦Ｔ１，Ｔ１・・の下面との間の空間部Ｓ（図５）は空気を流動させること（換気すること）が好ましい。即ち、屋根板６と平板瓦Ｔ１間の空間部Ｓは、夏季の日照時には瓦からの輻射熱で異常高温になる（延いては屋根板６及び天井裏を介して部屋内が暑くなる）一方、雨天時には高湿状態になる（夜間に冷却されると結露して屋根板６の腐食やカビの発生等の原因になる）が、該空間部Ｓの空気を換気すると上記高温状態や高湿状態を緩和できる。
【０００９】
そして、屋根板上に平板瓦を葺設した屋根構造において、図１〜図３に示す公知の平板瓦Ｔ１を用いた屋根構造（図４及び図５）では、次のような背景がある。
【００１０】
まず、図５に示すように、強風雨時に瓦上面を雨水が遡上する（吹き上がる）のを防止するために、上段側瓦の頭部３の裏面と下段側瓦の尻部２付近の表面とを瓦幅の全幅に亘ってほぼ接触させている。尚、図１〜図３の平板瓦Ｔ１では、頭部３裏面の下向き小突起３ａ（図２、図３）の中央部に上向きの切欠３ｂ（図２）が形成されているが、この切欠３ｂは、この平板瓦Ｔ１を図４に示すように千鳥状に配置したときに下段側の２つの瓦Ｔ１，Ｔ１における側部隆起部１２，１３の合体部分を跨ぐ（嵌入させる）ためのもので、瓦葺設状態では該切欠３ｂ部分と下段側瓦との間にはほとんど隙間ができない。従って、各平板瓦Ｔ１，Ｔ１・・の頭部３側から風が吹き上げても、その空気流は図５に矢印Ａ１で示すように各平板瓦Ｔ１と屋根板６間の空間部Ｓにはほとんど侵入しない。
【００１１】
他方、図４及び図５に示すように、屋根板６の軒先端部６ａに設置される最下段の軒先瓦（平板瓦）Ｔ１は、軒先瓦桟８の上面に対して雨水流下部１４の下面が全幅に亘ってほぼ接触している。従って、図５に矢印Ａ２で示すように、軒先瓦Ｔ１の頭部３側から風が吹き上げても、その空気流Ａ２は軒先瓦Ｔ１と軒先瓦桟８との間を通って上記空間部Ｓには侵入しない。
【００１２】
さらに、瓦桟７上に平板瓦Ｔ１の尻部２を載せ掛けた状態では、瓦裏面の上記凹み部２１Ａの面積が瓦桟７の上面で塞がれるようになる。特に、図３及び図５に示すように、瓦裏面の平面部１５の尻側端部１５ａ（凹み部２１Ａの頭側端部２１Ａａと同じ）と瓦桟７上面の軒先側端縁７ａとの間には、凹み部２１Ａの全幅に亘ってほとんど隙間ができない。従って、平板瓦Ｔ１と屋根板６間の空間部Ｓにある空気が瓦桟７を乗り越えて上方に抜け出しにくいようになっている（矢印Ａ３参照）。
【００１３】
他方、図１〜図３に示す公知の平板瓦Ｔ１には、上記した各空気流Ａ１，Ａ２，Ａ３に関する背景とは別に、瓦の尻部裏面の凹み部２１Ａに関して次の背景がある。即ち、該凹み部２１Ａは、図２に示すように瓦幅方向にかなりの幅Ｗ１を有しており、しかも瓦の尻部２を瓦桟７上に載せ掛けた瓦葺設状態では、図６に示すように瓦の尻部２は凹み部２１Ａの左右両端部にある各瓦桟接触面１６，１６でのみ瓦桟７上に支持されるようになる。即ち、瓦の尻部隆起部１１は、図６に示すように、その裏面側にある凹み部２１Ａの幅Ｗ１（Ｗ１＝２００mm程度）の範囲で下方から支持するものは何もない。
【発明の概要】
【発明が解決しようとする課題】
【００１４】
図１〜図３に示す公知の平板瓦Ｔ１では、図５に示す瓦葺設状態において、各平板瓦Ｔ１，Ｔ１・・の頭部３側や軒先前方から風が吹き上げても、その空気流は図５に矢印Ａ１及びＡ２で示すように各平板瓦Ｔ１と屋根板６間の空間部Ｓにはほとんど侵入しない。又、図５に示す瓦葺設状態において、上記空間部Ｓ内の空気は、矢印Ａ３で示すように瓦桟７を乗り越えて上方に抜け出しにくいようになっている。
【００１５】
従って、図１〜図３に示す公知の平板瓦Ｔ１を用いた屋根構造では、各平板瓦Ｔ１と屋根板６間の空間部Ｓの空気の換気機能が非常に乏しくなり、上記弊害（空間部Ｓ内が異常高温になったり高湿状態になったりすること）が発生し易くなるという問題があった。
【００１６】
他方、図１〜図３に示す公知の平板瓦Ｔ１を用いた屋根構造（図４及び図５）では、各平板瓦Ｔ１の尻部隆起部１１の裏面にある凹み部２１Ａが、図６に示すように全幅Ｗ１（２００mm程度の広幅）に亘って空間のままであるので（下方からの支えがないので）、瓦の葺設作業時に作業員が尻部隆起部１１上面の中央付近を踏んだときに、作業員の体重（図６の符号Ｇ）で該尻部隆起部１１が割れる（いわゆる踏み割れする）おそれがあった。
【００１７】
そこで、本願発明は、瓦の尻部を屋根板上の瓦桟上に載せ掛けて屋根板上に葺設するようにした平板瓦において、上記各課題（上記空間部が換気できないこと、及び瓦の尻部隆起部が踏み割れし易いこと）を解決し得るようにすることを目的としてなされたものである。
【課題を解決するための手段】
【００１８】
本願発明は、上記課題を解決するための手段として次の構成を有している。
【００１９】
［本願請求項１の発明］
本願請求項１の発明は、図７〜図１１に例示するように、瓦本体１の尻部２に表面側に隆起した尻部隆起部１１を設け、且つ瓦本体１の中央部分を雨水流下部１４となる平坦な平板部４とし、さらに瓦本体１の尻部２付近を屋根板６上に固定した瓦桟７上に載せ掛けるとともに瓦本体１の頭部３を下段側瓦の尻部隆起部１１上に載せた状態で屋根板６上に葺設するようにした平板瓦Ｔを対象にしている。
【００２０】
尚、本願発明の平板瓦Ｔにおいて、以下に示す各寸法は、理解し易くするために記載したものであって、特に限定するものではなく許容される範囲で変更可能なものである。
【００２１】
そして、本願発明の平板瓦Ｔは、図７〜図１１に例示するように、上記尻部隆起部１１の裏面中央部に、尻部２付近を瓦桟７上に載せ掛けた瓦葺設状態で瓦本体１の尻部端面２ａから瓦桟７の上面における軒先側端縁７ａを軒先側に所定小長さＬａ（例えばＬａ＝１０〜１５mm程度）だけ越える長さＬ（例えばＬ＝５０〜５５mm程度）を有し且つ瓦幅方向の所定幅Ｗ（例えばＷ＝２００mm程度）の範囲で上面側に凹ませた凹み部２１を設けている。即ち、本願発明の平板瓦Ｔでは、上記凹み部２１の瓦長さ方向の長さＬ（Ｌ＝５０〜５５mm程度）が、図２の公知の凹み部２１Ａの瓦長さ方向の長さＬ１（Ｌ１＝３０mm程度）より上記所定小長さＬａ（Ｌａ＝２０〜２５mm程度）だけ長くなっている。
【００２２】
他方、本願発明の平板瓦Ｔには、瓦本体１の頭部３付近の裏面に、瓦本体１の裏面から下向きに突出し且つ瓦葺設状態（図１０）で屋根板６の軒先端部６ａ上に設けた軒先瓦桟８の上面に接触する下向き突起３１と、上記頭部３付近の裏面を所定深さだけ凹ませた凹み部３２とで、上記頭部３裏面と上記軒先瓦桟８上面との間に該軒先瓦桟８上面を迂回する空気通路３３を形成している。尚、図示例では、図８に示すように、下向き突起３１として瓦長さ方向に向く細幅リブを瓦幅方向に間隔をもって３本設けている一方、凹み部３２を各下向き突起３１の設置部分の両側部（合計４箇所）に設けている。
【００２３】
そして、図１０に示すように、本願発明の平板瓦Ｔで屋根板６上を葺くと、軒先端部６ａに設置した軒先瓦（平板瓦）Ｔの頭部３付近の下面と軒先端部６ａ上に設けた軒先瓦桟８の上面との間に、上記下向き突起３１の突出高さと上記凹み部３２の凹み深さとからなる上下幅を有した空気通路３３が形成されることになる。
【００２４】
従って、本願の平板瓦Ｔを用いた瓦葺設状態では、図１０に例示するように、外気が軒先の前方から矢印Ａ４で示すように軒先瓦Ｔの頭部３下面と軒先瓦桟８上面との間の空気通路３３を通って屋根板６と軒先瓦Ｔ間の空間部Ｓに吹き込み、さらに該空間部Ｓに侵入した外気（矢印Ａ４）は、当該空間部Ｓから瓦の尻部裏面の各空気通路２６，２６を通って（瓦桟７の上面を迂回して）矢印Ａ５で示すように上部側の空間部Ｓ側に移動することができる。
【００２５】
［本願請求項２の発明］
本願請求項２の発明は、上記請求項１の平板瓦Ｔにおいて、上記尻部隆起部１１側の上記凹み部２１に、図１０に例示する瓦葺設状態において該凹み部２１の天井面２１ｂ（図９参照）から瓦桟７の上面に接触するまでの突出高さＨ（図９参照）を有した細幅リブ２５を瓦長さ方向に向けて適数本設けている。
【発明の効果】
【００２６】
［本願請求項１の発明の効果］
本願請求項１の発明の平板瓦Ｔでは、瓦本体１の頭部３付近の裏面に下向き突起３１と凹み部３２とを設けて、瓦葺設状態（図１０）において軒先端部６ａ位置にある軒先瓦（平板瓦）Ｔの頭部３付近の裏面と軒先端部６ａ上に設けた軒先瓦桟８の上面との間に空気通路３３となる隙間が形成されるようにしているので、外気が矢印Ａ４で示すように屋根板上面と軒先瓦下面との間の空間部Ｓに侵入し得るとともに、尻部裏面の凹み部２１を上記のように瓦長さ方向に長く（長さＬ）していることにより、尻部裏面側の上記凹み部２１が瓦桟７の上面を迂回して瓦長さ方向に連続する空気通路２６となるので、上記軒先瓦と屋根板間の空間部Ｓに侵入した空気（矢印Ａ４）が上記凹み部２１の空気通路２６を通って上方側の空間部Ｓ内に移動できるようになる。
【００２７】
従って、本願請求項１の平板瓦Ｔを使用すると、屋根板上面と各平板瓦下面との間の各空間部Ｓ内の空気を自然に換気することができるので、上記各空間部Ｓが異常高温になったり高湿状態になったりするのを緩和できる。即ち、夏季の日照時には瓦の輻射熱で上記空間部Ｓ内が異常高温になったり（延いては屋根板６及び天井裏を介して部屋内が暑くなる）、雨天時には高湿状態になったり（夜間に冷却されると結露して屋根板６の腐食やカビの発生等の原因になる）するが、該空間部Ｓの空気を換気すると上記高温状態や高湿状態を緩和できるという効果がある。
【００２８】
又、軒先瓦Ｔの頭部３下面に形成した空気通路３３は、下向き突起３１の突出高さと凹み部３２の凹み深さとの合計上下幅を有しているので、該空気通路３３の通路断面積を大きくすることができる。
【００２９】
［本願請求項２の発明の効果］
本願請求項２の発明の平板瓦Ｔでは、上記尻部隆起部１１側の上記凹み部２１に、上記瓦葺設状態において上記瓦桟７の上面に接触するまでの突出高さＨを有した細幅リブ２５を設けているので、尻部隆起部１１の裏面側に広幅Ｗの凹み部２１を有したものであっても、細幅リブ２５で尻部隆起部１１を下支えできる。
【００３０】
従って、この請求項２の平板瓦Ｔでは、瓦の葺設作業時に作業員が尻部隆起部１１上面の中央付近を踏んでも（作業員の体重が尻部隆起部１１に集中する）、該尻部隆起部１１が細幅リブ２５で下支えされていることにより、尻部隆起部１１が不用意に割れることがないという効果がある。
【図面の簡単な説明】
【００３１】
【図１】公知の平板瓦を表側から見た平面図である。
【図２】図１の平板瓦の裏面図である。
【図３】図２のIII−III断面図である。
【図４】図１の平板瓦を屋根板上に千鳥状に葺設した状態の平面図である。
【図５】公知（図３）の平板瓦を用いた瓦葺設状態の断面図（図４のＶ−Ｖ断面相当図）である。
【図６】図５のVI−VI断面図である。
【図７】本願実施例の平板瓦を表側から見た平面図である。
【図８】図７の平板瓦の裏面図である。
【図９】図８のIX−IX断面図である。
【図１０】本願実施例（図９）の平板瓦を用いた瓦葺設状態の断面図である。
【図１１】図１０のXI−XI断面図である。
【発明を実施するための形態】
【００３２】
［実施例］
以下、図７〜図１１を参照して本願実施例の平板瓦を説明する。
【００３３】
図７〜図９に示す本願実施例の平板瓦Ｔと、図１〜図３に示す公知の平板瓦Ｔ１とは、尻部隆起部１１の裏面構造と頭部３の裏面構造とが異なっているが、その他はほぼ同構造である。そして、本願実施例（図７〜図１１）の平板瓦Ｔの説明は、上記背景技術の項で説明した公知（図１〜図５）の平板瓦Ｔ１のものと重複する部分があるが、以下に再掲する。
【００３４】
即ち、本願実施例の平板瓦Ｔも、図７に示す表面（おもてめん）は、尻部２に尻部隆起部１１と左右各側部にそれぞれ側部隆起部１２，１３を設けている一方、それらの各隆起部１１，１２，１３で囲われた部分を平坦な雨水流下部１４としている。この雨水流下部１４は、ほぼ全面に亘ってほぼ同じ板厚さ（例えば１５mm程度の厚さ）の平板部４となっている。尚、以下の説明でも、図７及び図８の平板瓦Ｔにおいて、左右方向を瓦幅方向といい、上下方向（尻部２と頭部３を結ぶ方向）を瓦長さ方向ということがある。
【００３５】
瓦本体１の裏面は、図８及び図９に示すように、上記雨水流下部１４が対応する面積部分を平坦な（段差のない）平面部１５としている一方、上記尻部隆起部１１が対応する部分を上面側に凹んだ凹み部２１としている。
【００３６】
本願実施例の平板瓦Ｔにおける上記凹み部２１も尻部隆起部１１の厚さを削ぐ（薄くする）ために設けられたものであるが、この実施例で採用している凹み部２１の大きさは、瓦幅方向の幅Ｗ（図８、図１１）が公知の凹み部２１Ａの幅Ｗ１（図２）と同じで、瓦長さ方向の長さＬ（図８）が公知の凹み部２１Ａの長さＬ１（図２）より所定長さだけ長くしている。尚、この凹み部２１における瓦長さ方向の長さＬを長くした理由については後述する。
【００３７】
この凹み部２１の深さは、瓦裏面の平面部１５から凹み部天井面２１ｂ（図９）までの垂直距離であるが、この深さは、後述する細幅リブ２５の突出高さＨ（図９）と同じであって、該寸法Ｈは１５〜１８mm程度ある。
【００３８】
この凹み部２１の幅方向両端部外側には、瓦裏面の上記平面部１５と同一面となる瓦桟接触面１６，１６が設けられている（図２の公知例と同じ）。
【００３９】
瓦本体１の尻部２側の端部には、瓦幅方向に間隔をもって下向きに（裏面側に）突出する２つの係止突部２０，２０が設けられている。この各係止突部２０，２０は、厚さ（瓦長さ方向の寸法）が１０mm程度で、後述する瓦桟７に引っ掛けてこの平板瓦Ｔ１を係止するためのものである（図２、図３の公知例と同じ）。
【００４０】
この実施例の平板瓦Ｔも、葺設時には図１０に示すように屋根板６上に固定した瓦桟７上に尻部２の係止突部２０，２０を引っ掛けて該瓦桟７上に瓦の尻部２を載せ掛けるが、瓦桟７における屋根傾斜方向の幅Ｄ（図８〜図１０参照）は一般に３０mm程度である（図２〜図３の公知例と同じ）。
【００４１】
ところで、本願実施例の平板瓦Ｔにおいて、尻部隆起部１１の裏面に設けた凹み部２１は、図８〜図１０に例示するように、尻部２付近を瓦桟７上に載せ掛けた瓦葺設状態で瓦本体１の尻部端面２ａから瓦桟７の上面における軒先側端縁７ａを軒先側に所定小長さＬａ（例えばＬａ＝１０〜１５mm程度）だけ越える長さＬ（例えばＬ＝５０〜５５mm程度）を有している。即ち、本願実施例の平板瓦Ｔでは、上記凹み部２１の瓦長さ方向の長さＬ（Ｌ＝５０〜５５mm程度）が、図２の公知の凹み部２１Ａの瓦長さ方向の長さＬ１（Ｌ１＝３０mm程度）より上記所定長さ（２０〜２５mm程度）だけ長くなっている。従って、上記瓦葺設状態において、凹み部２１の頭側端部２１ａと瓦桟７上面の軒先側端縁７ａとの間の所定小長さＬａ（図８及び図８のＬａ＝１５〜２０mm程度）範囲が上記空間部Ｓに開口するようになる。
【００４２】
又、本願実施例の平板瓦Ｔは、上記凹み部２１に、瓦長さ方向に向け且つ上記瓦葺設状態において該凹み部２１の天井面２１ｂ（図９参照）から瓦桟７の上面に接触するまでの突出高さＨ（図９参照）を有した細幅リブ２５を適数本設けている。尚、この細幅リブ２５の設置本数は、１〜５本程度のうちの適当な本数を採用できるが、この実施例では図８及び図１１に示すように瓦幅方向に等間隔をもって３本設けている。
【００４３】
細幅リブ２５の突出高さＨ（図９）は、図示例のものでは凹み部２１の深さと同じであって、該突出高さＨは１５〜１８mm程度である。
【００４４】
そして、上記凹み部２１は、各細幅リブ２５（３本）で瓦幅方向に複数箇所（４箇所）に分割されるが、その各分割凹み部は、後述するようにそれぞれ瓦桟７の上面側を迂回して瓦長さ方向に連続する空気通路２６となるものである。即ち、この実施例の平板瓦Ｔも、図１０に例示するように、屋根板６上に固定している各瓦桟７，７・・に尻部２の裏面を載せ掛けて葺設するが、その瓦葺設状態において瓦の尻部裏面にある凹み部２１の頭側端部２１ａ（平面部１５の尻側端部１５ａと同じ）が瓦桟７の軒先側端縁７ａより所定小長さＬａだけ軒先側に位置しているので、瓦桟７に載せ掛けた瓦の尻部裏面には、瓦桟７の上面を迂回して瓦長さ方向に連続する複数条（４条）の空気通路２６，２６・・が形成されることになる。そして、この各空気通路２６は、図９に示すように、上記所定小長さＬａの範囲部分が空気入口２６ａとなる一方、空気通路２６の尻側端部が空気出口２６ｂとなる。
【００４５】
他方、この実施例の平板瓦Ｔには、瓦本体１の頭部３付近の裏面に、瓦本体１の裏面から下向きに突出し且つ瓦葺設状態（図１０）で屋根板６の軒先端部６ａ上に設けた軒先瓦桟８の上面に接触して該頭部３裏面と該軒先瓦桟８上面との間に空気通路３３となる隙間を形成するための所定小高さの下向き突起３１を設けている。図示例では、図８に示すように、下向き突起３１として瓦長さ方向に向く細幅リブを瓦幅方向に間隔をもって３本設けている。
【００４６】
又、この実施例では、上記各下向き突起（細幅リブ）３１，３１，３１の設置部分には、頭部３付近の裏面を所定深さ（例えば４〜５mm程度の深さ）だけ凹ませた凹み部３２が形成されている。そして、この頭部３側の空気通路３３は、下向き突起３１の突出高さ（頭部３裏面から突起先端までの突出高さ）と凹み部３２の凹み深さ（頭部３裏面から凹み部天井面までの深さ）との合計上下幅を有することとなり、従って該空気通路３３の通路断面積を大きくすることができる。因みに、凹み部３２の天井面から下向き突起（細幅リブ）３１の先端までの突出高さは例えば１０〜１５mm程度である。
【００４７】
図７〜図９に示す本願実施例の平板瓦Ｔは、図１０に示す瓦葺設状態において次のように機能する。
【００４８】
即ち、各平板瓦Ｔは、図１０に示すように、屋根板６上に固定した瓦桟７に尻部端部の係止突部２０を引っ掛けて順次葺設されているが、この瓦葺設状態では瓦本体１の尻部２（尻部隆起部１１）の裏面が瓦桟７上に載せ掛けられている。尚、この実施例の各平板瓦Ｔも、図４に示すように千鳥状に配設することができる。
【００４９】
そして、図１０の瓦葺設状態では、軒先端部６ａに設置した軒先瓦（平板瓦）Ｔの頭部３付近の下面部分に上記下向き突起３１及び凹み部３２からなる空気通路３３（軒先瓦桟８の上面を迂回するもの）が形成されている一方、各平板瓦Ｔの尻部裏面部分に上記凹み部２１からなる空気通路２６（瓦桟７の上面を迂回するもの）が形成されている。
【００５０】
従って、本願実施例の平板瓦Ｔを用いた瓦葺設状態では、外気が軒先の前方から矢印Ａ４（図１０）で示すように軒先瓦Ｔの頭部３下面と軒先瓦桟８上面との間の空気通路３３を通って屋根板６と軒先瓦Ｔ間の空間部Ｓに吹き込み、さらに該空間部Ｓに侵入した外気（矢印Ａ４）は、当該空間部Ｓから瓦の尻部裏面の空気通路２６を通って矢印Ａ５で示すように順次上部側の空間部Ｓ側に移動することができる（各空間部Ｓ内の空気が換気される）。
【００５１】
このように、上記各空間部Ｓ内の空気が移動する（換気される）と、夏季の日照による瓦の輻射熱で上記空間部Ｓが高温状態になる（部屋内が暑くなる）のを緩和できる一方、雨天時に上記空間部Ｓが高湿状態になる（夜間に温度が低下すると結露する）のを緩和できるという効果を達成できる。
【００５２】
このように、上記各空間部Ｓ内の空気が移動する（換気される）と、夏季の日照による瓦の輻射熱で上記空間部Ｓが高温状態になる（部屋内が暑くなる）のを緩和できる一方、雨天時に上記空間部Ｓが高湿状態になる（夜間に温度が低下すると結露する）のを緩和できるという効果を達成できる。
【００５３】
尚、軒先瓦Ｔの頭部３下面と軒先瓦桟８上面との間に形成された空気通路３３は、下向き突起３１の突出高さと凹み部３２の凹み深さとの合計上下幅を有しているので、頭部３下面に単に下向き突起３１だけを設けたものより該空気通路３３の通路断面積を大きくすることができる。
【００５４】
他方、尻部２裏面の上記凹み部２１には、瓦長さ方向に向けて複数条（３条）の細幅リブ２５，２５，２５が設けられていて、該各細幅リブ２５，２５，２５で広幅Ｗの凹み部２１を瓦幅方向に複数の空気通路２６，２６・・に分割している。そして、各細幅リブ２５，２５，２５は、瓦葺設状態において、図１１に示すように各細幅リブ２５の下端面２５ａがそれぞれ瓦桟７の上面に接触しているので、尻部隆起部１１の上面に作業員の体重Ｇが加わったときに、各細幅リブ２５，２５，２５で尻部隆起部１１を下支えする機能がある。
【００５５】
従って、瓦の葺設作業時に作業員が尻部隆起部１１上面の中央付近を踏んでも（作業員の体重が尻部隆起部１１に集中する）、該尻部隆起部１１が細幅リブ２５で下支えされていることにより、尻部隆起部１１が不用意に割れることがないという効果を達成できる。
【符号の説明】
【００５６】
１は瓦本体、２は尻部、２ａは尻側端部、３は頭部、４は平板部、６は屋根板、６ａは軒先端部、７は瓦桟、７ａは軒先側端縁、８は軒先瓦桟、１１は尻部隆起部、１４は雨水流下部、１５は平面部、２０は係止突部、２１は凹み部、２１ｂは天井面、２５は細幅リブ、２６は尻部側の空気通路、３１は下向き突起、３２は凹み部、３３は頭部側の空気通路である。
【図１】
0006381042.tif 000002
【図２】
0006381042.tif 000003
【図３】
0006381042.tif 000004
【図４】
0006381042.tif 000005
【図５】
0006381042.tif 000006
【図６】
0006381042.tif 000007
【図７】
0006381042.tif 000008
【図８】
0006381042.tif 000009
【図９】
0006381042.tif 000010
【図１０】
0006381042.tif 000011
【図１１】
0006381042.tif 000012